(57)【要約】【課題】全体形がもともと円形を呈する食品から扇形の一切れを取り出すような場合に使用可能な道具として、食品を載せやすく、落下を防止でき、手が汚れず、それでいて低コストとなるものが要請されていた。【解決手段】皿部２とこの皿部２の後端部に設けられた持ち手部３とを有し、持ち手部３は前後方向を向きつつ起立状態となってその左右両面を指当て面１７，１８とされたツマミ部１２と、このツマミ部１２と皿部２との境界部で左右方向を向きつつ起立状態となって皿部２の奥行きを制限する仕切り片１３と、ツマミ部１２の上部を覆って指当て面１７，１８の上方域を制限する上カバー部１４とを有する構成とした。【選択図】図１ 
2005058482.tif 000002
【特許請求の範囲】
【請求項１】
皿部（２）とこの皿部（２）の後端部に設けられた持ち手部（３）とを有し、持ち手部（３）は長手方向を前後へ向けつつ起立状態となってその左右両面が指当て面（１７，１８）とされたツマミ部（１２）と、このツマミ部（１２）と皿部（２）との境界部で長手方向を左右へ向けつつ起立状態となって皿部（２）の奥行きを制限する仕切り片（１３）と、ツマミ部（１２）の上部を覆って指当て面（１７，１８）の上方域を制限する上カバー部（１４）とを有していることを特徴とする簡易食器。
【請求項２】
前記持ち手部（３）には、ツマミ部（１２）における左面側の指当て面（１７）と右面側の指当て面（１８）との中間部を左右に分割させ前記仕切り片（１３）及び上カバー部（１４）の左右中途部をも分断させる中央開口（２０）が形成されていることを特徴とする請求項１記載の簡易食器。
【請求項３】
前記仕切り片（１３）には、皿部（２）方向へ突出することで、この皿部（２）との間で食品等を押さえる押さえ部（３４）が設けられていることを特徴とする請求項１又は２記載の簡易食器。
【請求項４】
前記持ち手部（３）に形成された中央開口（２０）はＶノッチ形とされてその下端尖端が皿部（２）の上面レベルまで達しており、皿部（２）には、その外周縁部の少なくとも一箇所と上記中央開口（２０）の下端尖端とを結ぶ谷折り線部（５）が形成されており、持ち手部（３）におけるツマミ部（１２）の左右両指当て面（１７，１８）をつまむことによって上記中央開口（２０）を閉じながら上記谷折り線部（５）を境に皿部（２）を谷折り可能になっていることを特徴とする請求項２又は３記載の簡易食器。
【請求項５】
前記皿部（２）において谷折り線部（５）は、皿部（２）の左右両側縁の前後方向中途位置と上記中央開口（２０）の下端尖端とを結ぶ左右対称配置のものが計２本設けられていることを特徴とする請求項４記載の簡易食器。
【請求項６】
前記皿部（２）は、持ち手部（３）側を底辺とした三角形状に形成されていることを特徴とする請求項１乃至請求項５のいずれかに記載の簡易食器。
【請求項７】
請求項１乃至請求項６のいずれかに記載の簡易食器（１）が各皿部（２）の外周縁部を相互に突き合わせつつこの突き合わせ部分を切り離し予定部として複数連結されていることを特徴とする簡易食器の集合体。
【発明の詳細な説明】
【技術分野】
【０００１】
本発明は、簡易食器及びその集合体に関するものである。
【背景技術】
【０００２】
ピザやパイ、ケーキなど、もともと円形を呈している食品に円形中心から放射状の切れ目を入れた後、その中から扇形となった一切れを取り出すに際してこれを手で直接掴もうとすると、手が汚れ、また持ちあげ後に口までうまく運ぶのにもコツが必要であり、落としたり、口の回りをも汚したりする。また何よりも不衛生である。そこで、このような場合に用いる道具として、三角形平板状の本体部とこの本体部の後端部に突設された把手部とを有したサーバーやトングが知られている（例えば、特許文献１及び特許文献２等参照）。これらのサーバーやトングは、三角形平板状の本体部が一体ものとして形成されていたため、その形成素材自体により十分な剛性を維持する必要があり、コスト高となる嫌いがあった。
【０００３】
一方、比較的低廉に製作できるサーバーとして、紙、或いは強度的には十分とは言えない樹脂（発泡樹脂等）を素材としながらも、本体部を使用時に折り曲げることで剛性を生起させるようにしたものが知られている（特許文献３及び特許文献４等参照）。このような折り曲げ式のサーバーは、本体部の中心部に縦割り方向に１本の折れ線部が設けられ、この折れ線部が、本体部の後端部に突設された把手部をも通り抜けるようになっており、この把手部を折れ線部中心につまみ上げるようにする（二つ折りにする）ことで本体部にも折り曲げ作用を派生させるようにして使用する。
【０００４】
ところで、従来、ピザやパイ、ケーキなど、もともと円形を呈している食品をその円形のまま載せる円形食品処理具が提案されている（特許文献５参照）。この円形食品処理具は、円形の中心から放射状に複数本の切取線が設けられ、この切取線に沿って扇形をした複数のサーバーを形成できるものである。このサーバーは、上記した折り曲げ式のサーバーとは異なって折り曲げて使用するものではなく、真っ平らのまま使用するものとなっている。
【特許文献１】実開平６−７５２７２号公報
【特許文献２】特開２００２−３１５６８０号公報
【特許文献３】実用新案登録第３０５８６２４号公報
【特許文献４】実用新案登録第３０５６７９５号公報
【特許文献５】実用新案登録第３０５４８０１号公報
【発明の開示】
【発明が解決しようとする課題】
【０００５】
上記した従来公知の折り曲げ式のサーバー（特許文献３及び特許文献４等参照）では、折れ線部で折り曲げる前の状態として、本体部の後端部に把手部が面一状に繋がっている。そのため、把手部と共に本体部を折れ線部中心に折り曲げたとしても、本体部の上部と把手部の上部との間を仕切るものは殆ど何もない。なお、本体部の後端部に折り曲げによって小さな立ち上がりができるものはあった（特許文献４に記載の基端部１ａ）が、これでもその立ち上がり度合いは不十分であった。そのため、本体部上に食品を載せた場合に、食品が把手部の方へ位置ズレて、結果、把手部を持つ手が食品で汚れてしまうということがあった。
【０００６】
また、これら従来の折り曲げ式のサーバーは、本体部の中心部に折れ線部が設けられており、食品を載せるためには予めこの本体部はＶ字状の谷折れ状態にしておく必要がある。このため、食品をうまく載せるのが難しいばかりか、食品を載せる有効面積も狭くなり、食品を落下させてしまう原因に繋がり易かった。
一方、従来の円形食品処理具（特許文献５）によって形成されるサーバーは、上記したように真っ平らのまま使用するものであるため、手が汚れる点等に関しては折り曲げ式のサーバーと同じか、むしろそれより程度の悪い問題を具備したものであると言わなければならない。勿論、本体部を折り曲げないため、十分な剛性を持たせるには、ある程度の強度をもった樹脂材製等とすべきであり、従ってコスト高となる。
【０００７】
本発明は、上記事情に鑑みてなされたものであって、全体形がもともと円形を呈する食品から扇形の一切れを取り出すような場合に使用可能な道具として、食品を載せやすく、落下を防止でき、手が汚れず、それでいて低コストとなる簡易食器とこの簡易食器によって形成される集合体とを提供することを目的とする。
【課題を解決するための手段】
【０００８】
前記目的を達成するために、本発明は次の手段を講じた。
即ち、本発明に係る簡易食器１は、皿部２とこの皿部２の後端部に設けられた持ち手部３とを有し、持ち手部３は長手方向を前後へ向けつつ起立状態となって、その左右両面が指当て面１７，１８とされたツマミ部１２と、このツマミ部１２と皿部２との境界部で長手方向を左右へ向けつつ起立状態となって皿部２の奥行きを制限する仕切り片１３と、ツマミ部１２の上部を覆って指当て面１７，１８の上方域を制限する上カバー部１４とを有している。
【０００９】
このような構成であるため、持ち手部３のツマミ部１２を指でつまんだとき、指の上部は上カバー部１４で覆われた状態になる。従って皿部２上に載せた食品が仮に持ち手部３側へ被さるような状況が起こったとしても、この食品によって指が汚れるといったことはない。また、皿部２の後端部に仕切り片１３が設けられているため、そもそも、皿部２上に載せた食品が持ち手部３側へ位置ズレするということは普通の使用状況の中では起こりにくいものである。
持ち手部３は、ツマミ部１２における左面側の指当て面１７と右面側の指当て面１８との中間部を左右に分割させることにより、前記仕切り片１３及び上カバー部１４の左右中途部をも分断させる中央開口２０が形成されたものとすることができる。
【００１０】
このような中央開口２０が形成されていると、この中央開口２０を閉ざすようなかたちで左面側の指当て面１７と右面側の指当て面１８とを対向押圧、相対接近させることができる（即ち、ツマミ部１２にツマミ動作代を確保できる）。そのため、このようにしてツマミ動作を行えば、皿部２に対しその左右両側部分を起こし上げるような谷折れ変形を与えることができることになるから、皿部２の剛性アップが図れる。またこれによって皿部２の上部を凹型にできるので、皿部２上に載せた食品が位置ズレしたり落下したりするのを可及的に抑制することができる。また、このような中央開口２０が設けられていると、ここへ上から指を挟み込むような持ち方ができるので、左面側の指当て面１７と右面側の指当て面１８とを対向押圧するのに加えて３本の指で安定して持ち手部３を持つことができる。このことで、皿部２に載せた食品を口へ運びやすく、且つ食べやすいという利便性も得られる。
【００１１】
皿部２が凹型となることでこの上に載せられた食品は、その下面が皿部２と面接触することなく、周縁部でやや持ちあげられた状態になる。そのために食べやすいということにも繋がる。
また、前記仕切り片１３には、皿部２方向へ突出することで、この皿部２との間で食品等を押さえる押さえ部３４が設けられていてもよい。これにより、皿部２に載せた食品は、皿部２と押さえ部３４との間で挟持することができるので、食品を落としてしまうことがない。
【００１２】
そして、持ち手部３に形成された中央開口２０はＶノッチ形とされてその下端尖端が皿部２の上面レベルまで達したものとすればよい。この場合、皿部２には、その外周縁部の少なくとも一箇所と上記中央開口２０の下端尖端とを結ぶ谷折り線部５が形成されているものとすれば、持ち手部３におけるツマミ部１２の左右両指当て面１７，１８をつまむことにより、上記中央開口２０を閉じながら上記谷折り線部５を境に皿部２を谷折りさせることができるようになる。これにより、中央開口２０を閉ざすようなかたちで左面側の指当て面１７と右面側の指当て面１８とを対向押圧、相対接近させる（即ち、ツマミ部１２をツマミ動作させる）ことが容易になると共に、確実に行えることになる。またこのツマミ部１２のツマミ動作に伴い、皿部２においてその左右両側部分が起こし上げられる谷折れ変形が、谷折り線部５に沿って綺麗に生じ、機能的な美しさも呈する。
【００１３】
なお、皿部２に設ける谷折り線部５は、皿部２の左右両側縁の前後方向中途位置と上記中央開口２０の下端尖端とを結ぶ左右対称配置のものが計２本設けられているものとするのが好適である。
このようにすることで、皿部２はその左右両側部分が起こし上げられた状態下でも、２本の谷折り線部５に挟まれた中央領域では平坦部２ｂが確保されることになる。従って、皿部２に載せた食品が一層安定し、位置ズレや落下を略完璧に防止できるのである。
皿部２は、持ち手部３側を底辺とし三角形状に形成されている。
【００１４】
なお、皿部２の適所には、その上面に滑止め２５を設けておくことができる。これにより、食品の位置ズレや落下の阻止効果を一層高めることができる。
一方、本発明に係る簡易食器１の集合体５０は、上記した本発明の簡易食器１が各皿部２の外周縁部を相互に突き合わせつつ、この突き合わせ部分を切り離し予定部として複数連結されたものである。このような集合体５０は、簡易食器１を個別に製作するのに比べて低コストで製作できるものであり、また集合体５０全体としても、食品を移送したり販売したりする場合のトレーとして活用でき、頗る便利となる。
【発明の効果】
【００１５】
本発明に係る簡易食器は、全体形がもともと円形を呈する食品から扇形の一切れを取り出すような場合に使用可能な道具であって、食品を載せやすく、落下を防止でき、手が汚れず、それでいて低コストとなる。またこの簡易食器を有して形成される集合体では、個々の簡易食器が上記効果を奏するものであり、そのうえで低コスト化が図れるといった効果も得られるものである。
【発明を実施するための最良の形態】
【００１６】
以下、本発明の実施の形態を、図面に基づき説明する。
図１乃至図１１は、本発明に係る簡易食器１の第１実施形態を示している。この簡易食器１は皿部２とこの皿部２の後端部に設けられた持ち手部３とを有している。なお、この第１実施形態の簡易食器１は、ピザやパイ、ケーキなど、全体形がもともと円形を呈する食品から扇形の一切れを取り出す場合に使用するためのものとして適用してある。またこの第１実施形態の簡易食器１は、例えば、ポリプロピレンやナイロン等の材料によって形成されており、使い捨てを前提にしてある。また、紙や発泡樹脂等によって作成してもよい。
【００１７】
皿部２は、持ち手部３側を底辺とした二等辺三角形状に形成されていると共に、その先端部（上記した二等辺三角形の頂角部に相当する部分）２ａには半径の大きな面取りアールが施されている。またこの先端部２ａでは、下面を面一としつつ先端に近づくほど肉厚が薄くなるように上面が傾斜したものとなっている。従って、これら面取りアールと上面傾斜とによって食品下面への差し込みを容易化しその後の食品掬い上げへ移行しやすくしてある。この皿部２の先端角（上記した二等辺三角形としての頂角）や前後方向長さ等は、食品を扇型に切り分ける際の分割数（八等分時なら４５°であり十等分時なら３６°といった具合）に応じて適宜設定できる。
【００１８】
この皿部２にはその上面を通り抜けるようにして谷折り線部５が設けられている。この谷折り線部５は、皿部２の一部を上方へ起こすように折り曲げるときにその指標とするか又は実際に折り曲げを誘導し折り曲げやすくするための線である。そのため、皿部２を折り曲げる前の段階で皿部２の上面に「目に見える線」として現れているか否かは問題ではなく、要は、この谷折り線部５に沿って皿部２を折り曲げるということが使用者に伝わればよいものである。なお、この谷折り線部５に沿って一度でも皿部２を折り曲げた後であれば、その上面に折れ目又は折り癖として明瞭に現出し残存することになるので、これによってこの簡易食器１を使用したか否か（即ち、新品であるか否か）がすぐに判断できることになる。
【００１９】
この谷折り線部５は、例えば図６及び図９に示すように皿部２の下面側に溝６を形成することで設けることができる。この溝６はＶノッチ状にしておくことが好まれる。なお、溝底部で皿部２が千切れてしまうおそれがある場合には、皿部２の上面には補強シート７を貼り付けておいてもよく、この補強シート７は樹脂系のものでも紙や金属箔等でもよい。このような補強シート７は、皿部２の下面（溝６を除いた部分）にも貼り付けておけばよく、溝６は皿部２の上面側へ設けてもよい。また、この溝６に代えてミシン目状のものやＶノッチ以外の凹溝、圧縮痕、或いは印刷等による表示線を設けてもよい。
【００２０】
本第１実施形態において、谷折り線部５は２本設けられたものとした。またこれら２本の谷折り線部５は、皿部２の左右両側縁部（上記した二等辺三角形において対称の斜辺に相当する部分）の前後方向中途位置と、皿部２の後端部（上記した二等辺三角形の底辺に相当する部分）の中心部とを結ぶように、互いに左右対称配置で位置付けたものとした。これにより、皿部２の先端部２ａ寄りには、２本の谷折り線部５で挟まれた菱形状の平坦部２ｂが形成されることになる。
持ち手部３は、ツマミ部１２と仕切り片１３と上カバー部１４とを有している。
【００２１】
ツマミ部１２は長手方向を前後へ向けつつ起立状態に設けられたものである。起立状態とは皿部２に対する直立だけを言うものではなく、要は皿部２に対して立ち上がった状態であればその起立角度は問題ではない。このツマミ部２１には、その左方を向く最も外側の側面に左側の指当て面１７が設けられ、また右方を向く最も外側の側面に右側の指当て面１８が設けられている。そしてこれら左右の指当て面１７，１８には、必要に応じて指先大の指当て凹部２１が設けられ、指の滑りが無いようにしてある。なお、この指当て凹部２１の形状は、図面のように半面状に凹入する形状でも、蒲鉾状に凹入する形状でもよく、適宜その形状は変更し得る。
【００２２】
本第１実施形態においてツマミ部１２は、左右の中間部が分割されてＶ字状に形成されたものとしてある。従って、左右の指当て面１７，１８が各別の起立片として形成されており、これら両起立片の相互間（分割間）にはＶノッチ形の中央開口２０が形成されている。この中央開口２０の下端尖端は皿部２の上面レベルまで達している。すなわち、この下端尖端が位置する箇所は、皿部２に設けられた２本の谷折り線部５が集中して交点をつくる位置と合致していることになる。
仕切り片１３は、ツマミ部１２と皿部２との境界部で長手方向を左右へ向けつつ起立状態に設けられたものである。上記したように、ツマミ部１２は左右の中間部が分割されてＶ字状に形成され、この分割間に中央開口２０が形成されていることに伴い、この仕切り片１３も中央開口２０に対応する位置で左右に分割されている。この仕切り片１３が設けられることで、皿部２の上部は、食品を載せるために活用できる奥行きが制限されることになる。
【００２３】
上カバー部１４はツマミ部１２の上部を覆うように設けられたものである。この上カバー部１４も、仕切り片１３の場合と同様に中央開口２０に対応する位置で左右に分割されている。この上カバー部１４が設けられることで、ツマミ部１２の左右の指当て面１７，１８はそれぞれの上方域が制限されることになる。
これらのことから明らかなように、この持ち手部３では、ツマミ部１２に対し、左右の指当て面１７，１８を形成している起立片の前方及び上方を、仕切り片１３と上カバー部１４とが鉤型に折曲した状態で取り囲む構造である。従って、ツマミ部１２の各指当て面１７，１８にそれぞれ指を当てて、これらをつまむようにしたとき、これら各指の前部には仕切り片１３が位置付けられ、またこれら各指の上部には上カバー部１４が位置付けられるものである。そのため、皿部２の上部に載せられた食品が何らかの拍子に持ち手部３側へ位置ズレしたとしても、この食品は仕切り片１３によって当て止めされることになり、また仮に、食品が仕切り片１３の上部へ乗り上げるようなことがあったとしても、この食品は上カバー部１４で支えられ、いずれの場合も食品がツマミ部１２（左右の指当て面１７，１８）をつまんだ指に触れることはない。
【００２４】
なお、上記から明らかなように、上カバー部１４は、仕切り片１３と共にツマミ部１２の強度を高めるという意味と、手指を汚れから遮蔽するという意味を有するが、ツマミ部１２の補強という点のみに注目すれば、図面のように仕切り片１３の全幅に亘るような大きさでなくてもよい。
次に、本実施形態の作用を説明すると、図１０に示すように、持ち手部３のツマミ部１２に対しその左右両指当て面１７，１８を指でつまみ、これらを対向方向へ押圧する。これによりこのツマミ部１２は、中央開口２０を閉ざしながら相対接近し、左右に分割された仕切り片１３がこの動きに付随しながら、皿部２の後端部に対してその左右両側を中央へ寄せつつ起こし上げるといった作用を伝える。なお、仕切り片１３及び上カバー部１４は中央開口２０に対応して左右に分割されているため、これらがツマミ部１２のつまみ動作を邪魔することはない。
【００２５】
かくして皿部２では、２本の谷折り線部５を境にして左側の谷折り線部５の左側部分及び右側の谷折り線部５の右側部分が共に起こし上げられる。結果、皿部２はその上面が凹型に変形し、その剛性がアップされる。
従って、このような構成の簡易食器１の使用方法としては、次のような方法がある。
例えば、図１１に示すように、ツマミ部１２の中央開口２０へその上から指を挟み込むような持ち方で皿部２を全面的に面一状態に保った状態で、この簡易食器１を食品の下面へと差し込み、次いで、ツマミ部１２をつまみ、食品を掬い上げるようにする。
【００２６】
この際、皿部２の上部が凹型になるため、皿部２上に載った食品が位置ズレしたり落下したりすることは可及的に抑制される。また上記したように、食品が何らかの原因で位置ズレしたとしても、食品がツマミ部１２（左右の指当て面１７，１８）をつまんだ指に触れることはない。従って、食品の衛生が保たれると共に、手が汚れることも防止されることになる。また、皿部２が凹型となっていることでこの上に載せられた食品は、その下面が皿部２と面接触することなく、周縁部で持ちあげられた状態になる。そのために食べやすいということにも繋がる。
【００２７】
なお、このようにツマミ部１２の中央開口２０へその上から指を挟み込むような持ち方で食品を口に運ぶことは可能であり、この持ち方では、左面側の指当て面１７と右面側の指当て面１８とを対向押圧するのに加えて３本目の指で安定して持ち手部３を持つことができる。
また、最初からツマミ部１２をつまんで、予め皿部２の上面を凹型に変形させ、剛性がアップした状態でこの簡易食器１を食品の下面へと差し込み、掬い上げるようにしてもよい。
【００２８】
このように、皿部２はその左右両側部分が起こし上げられた状態下でも、２本の谷折り線部５に挟まれた中央領域では平坦部２ｂが確保されるから、皿部２を食品下面へ差し込みやすく、且つ、皿部２に載せた食品は一層安定し、位置ズレや落下は殆どない。
なお、ツマミ部１２において、左右の指当て面１７，１８の前部に仕切り片１３が位置付けられているため、この簡易食器１を食品の下面へ差し入れる際に、左右の指当て面１７，１８をつまんでいる指で仕切り片１３の裏側を押すようにすることが可能であり、これによって簡易食器１を食品下面へ容易に差し込むことができるという利点もある。
【００２９】
これらの様々な使い方は、使用者側の所望するところに応じて適宜選択されるものである。
図１２及び図１３は、本発明に係る簡易食器１の第２実施形態を示している。この第２実施形態の簡易食器１が上記した第１実施形態と最も異なるところは、皿部２の上面に食品の位置ズレを防止するための滑止め２５が設けられている点にある。図例においてこの滑止め２５は、皿部２の平坦部２ｂ上でリブ状に突出したもので、全部で４本ある。４本の滑止め２５の中央には皿部２を貫通した開口２６が形成されており、この開口２６はネズミ顔を模した開口形状になっている。そのため、滑止め２５がネズミの髭を表現したものとなり、目障りなものとはならず、機能性と共に遊び心をもった趣向になっている。
【００３０】
なお、滑止め２５は、例えば図１４及び図１５に示すように皿部２の先端部２ａ寄りに設けてもよい。これ以外にも、滑止め２５の形状（粗面を含む）、形成数、配置、大きさは適宜変更可能である。
図１６及び図１７は、本発明に係る簡易食器１の第３実施形態を示している。この第３実施形態の簡易食器１も基本的には上記した第１実施形態と略同様であるが、持ち手部３に設けられた仕切り片１３が正面から見て三角形状に形成されており、これに伴い、左右の上カバー部１４の上面がそれぞれ左右両外側へゆくにしたがって下り傾斜を呈したものとなっている。これら上カバー部１４の傾斜角度は、ツマミ部１２をつまみ動作させたとき（図１７の状態）に、左右の上カバー部１４が面一乃至それに近い状態となることを目安として設定されている。このようにすることで見た目のスッキリ感が得られると共に、嵩のコンパクト化が図れるものとなる。なお、上カバー部１４の下側に形成される指入れ空間がコンパクト化されるために女性や子供には指を適正に位置決めできることになり、結果、婦女子用等として好適な態様と言える。
【００３１】
図１８及び図１９は、本発明に係る簡易食器１に対して装着可能な延長ハンドル２７を示したものである。簡易食器１自体は上記第１実施形態で説明したものと殆ど変わらない。この延長ハンドル２７は針金材を折り曲げて形成したもので、簡易食器１へ向けた側には２本の差込端部２８が設けられ、またこれらと反対側にはループ部２９を形成させつつＵターンさせたバネ基部３０が設けられている。従ってこの延長ハンドル２７は、２本の差込端部２８を相互近接させたときにバネ基部３０側に弾性反発力が蓄えられ、もって２本の差込端部２８が元の相互間隔に戻ろうとするものである。なお、延長ハンドル２７を樹脂製とさせることも可能であり、この場合には、わざわざループ部２９を形成させなくてもバネ基部３０の形成が可能となることがある。
【００３２】
この延長ハンドル２７を簡易食器１へ装着するには、差込端部２８を簡易食器１における左右の上カバー部１４に対して上下方向へ縫い込ませるように突き刺せばよい（図１９の状態）。簡易食器１には、このときの縫い込ませを容易化させるために、予め、左右の上カバー部１４に前後一対の切れ込み３２、３３を入れておけばよい。なお、このとき延長ハンドル２７の差込端部２８で仕切り片１３を突き差すようにしてもよいし、逆に、差込端部２８が突き抜けないように仕切り片１３の裏面にボス（図示略）を設けておいてもよい。
【００３３】
このような延長ハンドル２７を装着すれば、遠くの食品を簡易食器１で掬い上げるのが容易となり、レストランやパーティ等での簡易食器１の使用が益々便利になる。
図２０〜図２７は、本発明に係る簡易食器１の第４実施形態を示している。この第４実施形態の簡易食器１が上記した第１実施形態と最も異なるところは、仕切り片１３に押さえ部３４が設けられている点である。
図のようにこの押さえ部３４は、仕切り片１３の中央開口２０近傍から皿部２方向へ突出する形で左右指当て面１７，１８に対応するように左右一対設けられている。そして該押さえ部３４は、下方に若干突出した突出部３５を備えたアーチ状の切欠部３６が設けられている。斯かる切欠部３６は、食品に合わせた形状、例えばピザの周縁の肉厚部分の形状に合致する形状とされていることが望ましい。また、突出部３５と皿部２との距離ｈは、この間に対象食品がピザの場合はこれを挿入できるようにピザの厚みより若干大きくされていることが望ましい。
【００３４】
従って、本実施形態では第１実施形態と同様に、皿部２で食品を掬い、ツマミ部２１をつまむことで、図２５〜図２７のように皿部２を変形させると、突出部３５等と皿部２との距離ｈが縮まり、結果として、押さえ部３４は皿部２との間で食品を挟持することができ、食品を落としてしまうことを防止できる。
その他第１実施形態と基本的に同一の部分は同一符号を付して説明を省略する。
図２８は、本発明に係る簡易食器１の集合体５０の第１実施形態を示している。この集合体５０は、簡易食器１が複数連結されたものである。各簡易食器１は、互いの皿部２の外周縁部を相互に突き合わせつつこの突き合わせ部分を切り離し予定部として連結されている。そのためこの集合体５０は、この構成によって各簡易食器１の皿部２相当部分が集合して成る大皿部５１と、各簡易食器１における持ち手部３の仕切り片１３相当部分が連続して成る周壁部５２とを有したものとなっている。各簡易食器１は、相互隣接するものが交互に前後逆向きとされており、従って集合体５０の大皿部５１は長方形状を呈するようになっている。図例では５個の簡易食器１を連結したものとしてあるが、この個数は特に限定されない。
【００３５】
このような集合体５０には、その大皿部５１に切れ目を入れる前又は切れ目を入れた状態の食品を載せて移送や販売等すればよい。またそのままテーブル上へ出してもよく、集合体５０をバラして各人が簡易食器１を取り出すという趣向が増えることになって雰囲気が盛り上がる効果も期待できる。このように複数の簡易食器１を具備した集合体５０では、簡易食器１を個別に製作するのに比べて低コストで製作できるという利点もある。
図２９は、本発明に係る簡易食器１の集合体５０の第２実施形態を示している。この集合体５０では、簡易食器１を全て同じ向きにすることで大皿部５１が円形を呈するようになっている。従って、各簡易食器１の仕切り片１３によって形成される周壁部５２が大皿部５１の全周を取り囲むようになり、この大皿部５１上に食品を載せた場合に食品のこぼれ落ちを防止できる利点がある。
【産業上の利用可能性】
【００３６】
本発明は、上記した各実施形態に限定されるものではなく、更に、実施の形態に応じて適宜変更可能である。
例えば、この簡易食器１の形成素材は何ら限定されるものではなく、ＰＰやＰＥその他の樹脂、発泡系の樹脂、場合によっては金属などを用いることも所望に応じて適宜選択できる。また皿部２と持ち手部３とを同一材料製としてもよいし別材料製としてもよい。
この簡易食器１は、全体形がもともと円形を呈する食品から扇形の一切れを取り出す場合に使用することが限定されるものではなく、例えば長方形ブロック体をした食品（カステラや羊羹など）をはじめ、各種の形状の食品に使用できるものである。
【００３７】
この簡易食器１は、例えば園芸時の土や肥料を掬う道具として使用したり、ペット等の汚物を回収する道具として使用したり、要するに手を汚さないようにするための道具類として使用可能である。
【図面の簡単な説明】
【００３８】
【図１】本発明に係る簡易食器の第１実施形態を示した斜視図である。
【図２】図１のＡ−Ａ線矢視図である。
【図３】図２のＢ−Ｂ線矢視図である。
【図４】図３のＣ−Ｃ線矢視図である。
【図５】図２のＤ−Ｄ線矢視図である。
【図６】図１のＥ−Ｅ線矢視図である。
【図７】図１と比較しやすい状態で使用時における動作状況を示した斜視図である。
【図８】図７のＦ−Ｆ線矢視図である。
【図９】図４のＧ部拡大図である。
【図１０】使用例を示した斜視図である。
【図１１】別の使用例を示した斜視図である。
【図１２】本発明に係る簡易食器の第２実施形態を示した平面図である。
【図１３】図１２のＨ−Ｈ線拡大断面図である。
【図１４】滑止めの別例を示す拡大側面図である。
【図１５】図１４の滑止めに対応した平面形状２例を示した平面図である。
【図１６】本発明に係る簡易食器の第３実施形態を示した正面図である。
【図１７】図１６からの動作状況を示した正面図である。
【図１８】本発明に係る簡易食器に延長ハンドルを装着可能にした例を示した斜視図である。
【図１９】簡易食器に延長ハンドルを装着した状況を示した要部拡大図である。
【図２０】本発明に係る簡易食器の第４実施形態を示した斜視図である。
【図２１】図２０のＩ−Ｉ線矢視図である。
【図２２】図２１のＪ−Ｊ線矢視図である。
【図２３】図２０のＫ−Ｋ線矢視図である。
【図２４】図２０の裏面斜視図である。
【図２５】図２０と比較しやすい状態で使用時における動作状況を示した斜視図である。
【図２６】図２５のＬ−Ｌ線矢視図である。
【図２７】図２５のＭ−Ｍ線断面図である。
【図２８】本発明に係る簡易食器の集合体の第１実施形態を示している。
【図２９】本発明に係る簡易食器の集合体の第２実施形態を示している。
【符号の説明】
【００３９】
１  簡易食器
２  皿部
３  持ち手部
５  谷折り線部
１２  ツマミ部
１３  仕切り片
１４  上カバー部
１７  指当て面
１８  指当て面
２０  中央開口
２５  滑止め
３４  押さえ部
５０  集合体
【図１】
2005058482.tif 000003
【図２】
2005058482.tif 000004
【図３】
2005058482.tif 000005
【図４】
2005058482.tif 000006
【図５】
2005058482.tif 000007
【図６】
2005058482.tif 000008
【図７】
2005058482.tif 000009
【図８】
2005058482.tif 000010
【図９】
2005058482.tif 000011
【図１０】
2005058482.tif 000012
【図１１】
2005058482.tif 000013
【図１２】
2005058482.tif 000014
【図１３】
2005058482.tif 000015
【図１４】
2005058482.tif 000016
【図１５】
2005058482.tif 000017
【図１６】
2005058482.tif 000018
【図１７】
2005058482.tif 000019
【図１８】
2005058482.tif 000020
【図１９】
2005058482.tif 000021
【図２０】
2005058482.tif 000022
【図２１】
2005058482.tif 000023
【図２２】
2005058482.tif 000024
【図２３】
2005058482.tif 000025
【図２４】
2005058482.tif 000026
【図２５】
2005058482.tif 000027
【図２６】
2005058482.tif 000028
【図２７】
2005058482.tif 000029
【図２８】
2005058482.tif 000030
【図２９】
2005058482.tif 000031